(57)【特許請求の範囲】
【請求項１】
ランダムな信号成分を含む不規則なパルス列の信号処理方法であって、
測定したパルス信号を受信する受信ステップと、
受信した信号を指数関数、インパルス波、ワイブル確率密度関数、のいずれか一を基底関数としてウェーブレット変換する変換ステップと、
を有する信号処理方法。
【請求項２】
変換ステップにて変換された値を所定の閾値と比較する比較ステップと、
比較ステップでの比較結果が所定の関係にあるものを選択する選択ステップと、
をさらに有する請求項１に記載の信号処理方法。
【請求項３】
選択ステップでの選択結果を時間軸にマッピングするマッピングステップをさらに有する請求項２に記載の信号処理方法。
【請求項４】
既知の雑音波形をフィルタ関数として用いることにより信号成分から雑音を除去する雑音除去ステップをさらに有する請求項１から３のいずれか一に記載の信号処理方法。
【請求項５】
ランダムな信号成分を含む不規則なパルス列の信号を処理する信号処理装置であって、
測定したパルス信号を受信する受信部と、
受信した信号を指数関数、インパルス波、ワイブル確率密度関数、のいずれか一を基底関数としてウェーブレット変換する変換部と、
を有する信号処理装置。
【請求項６】
変換部にて変換された値を所定の閾値と比較する比較部と、
比較部での比較結果が所定の関係にあるものを選択する選択部と、
をさらに有する請求項５に記載の信号処理装置。
【請求項７】
選択部での選択結果を時間軸にマッピングするマッピング部をさらに有する請求項６に記載の信号処理装置。
【請求項８】
既知の雑音波形をフィルタ関数として用いることにより信号成分から雑音を除去する雑音除去部をさらに有する請求項５から７のいずれか一に記載の信号処理装置。
【発明の詳細な説明】
【技術分野】
【０００１】
本発明は、ランダムな信号成分を含む不規則なパルス列の信号処理方法、信号処理装置に関する。
【背景技術】
【０００２】
従来から、不規則なパルス列の信号処理方法は、画像解析や音声処理、脳波の波形解析、電気機器の部分放電信号解析など種々の分野で用いられてきた。
【０００３】
これらの信号処理においては、注目する信号成分が複雑な場合や、信号成分の大きさが微弱である場合に解析で苦慮することが多い。特に近年においては、雑音の多い環境下で信号の測定を行うことも多く、これらの雑音との区別も問題となっている。
【０００４】
このため、信号処理を施すことによって確実な信号解析を行う技術がさらに求められてきている。従来の信号処理方法としては、時間周波数解析であるウェーブレット解析が知られている。ウェーブレット解析は、特定の時間領域を選択的に取り出して周波数解析や不連続信号の抽出を行える利点を有している。
【０００５】
ウェーブレット解析に適した基底関数（マザーウェーブレット）としては、Daubechiesウェーブレット、Haarウェーブレット、Coifmanの基底関数、Baylkinの基底関数が知られている。Harrウェーブレットを用いたパルス列の信号処理方法については、特許文献１において開示されている。
【０００６】
一方、基底関数ではないが周波数解析に適したものとして、Gabor関数（Gaussian関数と複素指数関数の積）、Meyerウェーブレット、MexicanHat関数、Shannon関数などが知られている。しかしながら、ランダムな信号成分を含む不規則なパルス列のウェーブレット解析に適したウェーブレット関数については、検討例が少ない。
【先行技術文献】
【特許文献】
【０００７】
【特許文献１】特開２００９−２１６６０５
【発明の概要】
【発明が解決しようとする課題】
【０００８】
本願においては、ランダムな信号成分を含む不規則なパルス列のウェーブレット解析に適した関数を用いた信号処理方法、信号処理装置を提案する。
【課題を解決するための手段】
【０００９】
以上の課題を解決するために、ランダムな信号成分を含む不規則なパルス列の信号処理方法であって、測定したパルス信号を受信する受信ステップと、受信した信号を奇関数を基底関数としてウェーブレット変換する変換ステップと、を有する信号処理方法を提案する。
【００１０】
また、ランダムな信号成分を含む不規則なパルス列の信号を処理する信号処理装置であって、測定したパルス信号を受信する受信部と、受信した信号を奇関数を基底関数としてウェーブレット変換する変換部と、を有する信号処理装置を提案する。
【発明の効果】
【００１１】
本発明の信号処理方法および信号処理装置により、ランダムな信号成分を含む不規則なパルス列の中から、特定の要因による信号成分を精度良く抽出することが可能となる。
【図面の簡単な説明】
【００１２】
【図１】実施形態１の信号処理装置の機能ブロックの一例を示す図
【図２】ガウス微分関数波とハール基底関数の対比結果を示す図（レベル１）
【図３】ガウス微分関数波とハール基底関数の対比結果を示す図（レベル３）
【図４】ガウス微分関数波とハール基底関数の対比結果を示す図（レベル７）
【図５】実施形態１の信号処理装置のハードウェア構成の一例を示す図
【図６】実施形態１の信号処理方法の処理の流れを示す図
【図７】実施形態２の信号処理装置の機能ブロックの一例を示す図
【図８】実施形態２の信号処理方法の処理の流れを示す図
【図９】実施形態３の信号処理装置の機能ブロックの一例を示す図
【図１０】実施形態３の信号処理方法の処理の流れを示す図
【図１１】実施形態４の信号処理装置の機能ブロックの一例を示す図
【図１２】実施形態４の信号処理方法の処理の流れを示す図
【図１３】実施形態３の信号処理方法の処理の流れの他の例を示す図
【発明を実施するための形態】
【００１３】
以下本発明を実施するための形態について説明する。実施の形態と請求項の相互の関係は、以下のとおりである。実施形態１は主に請求項１、５に対応し、実施形態２は主に請求項２、６に対応し、実施形態３は主に請求項３、７に対応し、実施形態４は主に請求項４、８に対応する。なお、本発明はこれら実施の形態になんら限定されるものではなく、その要旨を逸脱しない範囲において種々なる態様で実施しうる。また、以下の実施形態においては、部分放電信号の解析を例に挙げて説明しているが、その他の信号についても適用することは可能である。
【００１４】
<実施形態１>
【００１５】
<概要>
【００１６】
本実施形態の信号処理方法および信号処理装置は、測定対象から測定した電流や電圧あるいは電磁波などの電気信号のパルス信号に対して奇関数を基底関数としてウェーブレット変換を行うことにより、信号を精度良く解析することが可能になる。
【００１７】
<構成>
【００１８】
図１は、本実施形態の信号処理装置の機能的構成の一例を示す図である。この図に示すように、本実施形態の「信号処理装置」（０１００）は、「受信部」（０１０１）と、「変換部」（０１０２）を有する。以下、各構成について説明する。
【００１９】
「信号処理装置」は、ランダムな信号成分を含む不規則なパルス列の信号を処理する装置である。これらの信号としては、例えば電気機器から生じる部分放電信号などが挙げられる。なお、部分放電とは、電気機器内の絶縁体中に空隙などが存在すると、電圧をかけた際にその空隙部分に発生する部分的な放電である。当該部分放電が繰り返し起こると、絶縁破壊を引き起こすことが知られている。
【００２０】
部分放電を検出する手段としては、例えば、測定対象の電気機器の接地線に高周波ＣＴなどを接続し、電流や電圧などのパルス信号（電気信号）を測定することが考えられる。また、上記接地線法のほかに、アンテナ法、結合コンデンサ法、平衡検出法も可能である。
【００２１】
「受信部」は、測定対象（電気機器など）から測定したパルス信号を受信するよう構成されている。
【００２２】
本実施形態の受信部は、測定対象から測定した電流や電圧などの電気信号のパルス信号を受信する。測定対象から電気信号のパルス信号を測定する手段としては注目する信号成分（例えば、部分放電信号など）を測定可能なものであれば特段制限されない。
【００２３】
例えば、部分放電信号を検出したい場合などは、電気機器の接地線に高周波変流器を接続してアナログ信号を測定し、当該アナログ信号を信号変換器でパルス信号に変換することでパルス信号を測定してもよい。また、画像信号や音声信号が測定対象である場合は、画像装置や音声出力装置などから有線又は無線の通信回線を通じて受信することが考えられる。
【００２４】
受信部は、前記パルス信号をリアルタイムで信号変換器から受信してもよいし、または、信号変換器で変換したパルス信号を保存可能な記憶装置などから一定数のデータをまとめて受信してもよい。
【００２５】
「変換部」は、受信した信号を奇関数を基底関数としてウェーブレット変換するよう構成されている。観測信号をｘ（ｔ）とすると、ウェーブレット変換の式は、以下のように表される。
【数１】
0005699403.tif 000002
【００２６】
ここで、次式で定義される関数は、基底関数Ψ(t)をスケールパラメータaにより拡大縮小し、シフトパラメータbにより平行移動した局所的な参照関数（ドゥターウェーブレット）である。
【数２】
0005699403.tif 000003
【００２７】
基底関数は、少なくとも信号が有する零の周波数を通過させないことが必要であり、次式が成り立つ必要がある（コンパクトサポート）。
【数３】
0005699403.tif 000004
【００２８】
上記数３の式を満たす基底関数としては、以下のような奇関数が考えられる。
【００２９】
（１）指数関数波
【数４】
0005699403.tif 000005
【００３０】
（２）インパルス波
【数５】
0005699403.tif 000006
上記インパルス波は、指数関数の組み合わせで定義できる関数である。ここで、α、βは波形を定める定数である。
【００３１】
（３）ワイブル確率密度関数波
【数６】
0005699403.tif 000007
上記ワイブル関数波は、引数部分の式の形がウェーブレット関数と同じ形であり、mの値により種々の非振動性のパルスを扱える利点がある。ここで、m、a、bはワイブルパラメータである。
【００３２】
（４）ガウス微分関数波
【数７】
0005699403.tif 000008
上記の式はガウス関数の一階微分関数であるが、それ以上の高階微分関数もウェーブレット解析の参照関数として用いることが可能である。
【００３３】
上記にあげた４つの関数は、パルスの波形に近い関数である。これらの関数を基底関数としてウェーブレット解析を行うと、パルスの信号成分を高い精度で抽出することが可能になる。
【００３４】
<比較実測データ>
図２、３、４は、数７で示したガウス微分関数波を参照関数（基底関数）としてウェーブレット解析を行った結果と、ハール基底関数を用いてウェーブレット解析を行った結果を示す図である。なお、ここでの実測データはアンテナ法により計測している。ガウス微分関数は、ハール基底関数よりも自由度（変数）が一つ多いため、波形処理演算を自動化する場合、アルゴリズムに汎用性が増す。今回の対比実験では、ガウス関数の標準偏差を３としてスケーリングを行っている。
【００３５】
図２は、ガウス微分関数とハール基底関数のレベル１の対比結果を示す図である。なお、測定信号のサンプリング時間（最大周波数）をレベル１としている。この結果が示すように、元波形の高周波成分はどちらの関数でも検出できているが、ガウス微分関数の方が高周波のノイズが少ない（ＳＮ比が大きい）。これは、ガウス関数の標準偏差を３としたことに起因している。
【００３６】
また、図３は、ガウス微分関数とハール基底関数のレベル３の対比結果を示す図である。レベル３では２の３乗、すなわち８がハールスケーリング関数で設定される。この結果が示すように、元波形の後半部分に含まれる振動成分は、ハール基底関数ではこの段階で検出することができていないが、ガウス微分関数ではこの段階で検出できている。
【００３７】
また、図４は、ガウス微分関数とハール基底関数のレベル７の対比結果を示す図である。レベル７では２の７乗、すなわち１２８がハールスケーリング関数で設定される。この結果が示すように、ハール基底関数では元波形に含まれる低周波成分を検出することができていないが、ガウス微分関数では検出できている。
【００３８】
図２、３、４の対比結果から、ガウス微分関数のもつ自由度１の変数を利用して元波形に適したスケーリング関数を構成することができているといえる。同様のことは、数６で示したワイブル関数についてもいえる。また、数５で示したインパルス波形は自由度が２つ大きいため同様のことがいえるが、パラメータの設計に工夫が必要である。
【００３９】
<本実施形態のハードウェア構成>
【００４０】
図５は、上記機能的構成をハードウェアとして実現した際の構成の一例を表す図である。
【００４１】
以下に、図５のハードウェア図を用いて、本実施形態を実現する手段の一例を説明する。この図に示すように、本信号処理装置は、「受信部」、「変換部」などを構成する「ＣＰＵ」（０５０１）、「主記憶装置」（０５０２）、「プログラム記憶装置」（０５０３）、「２次記憶装置」（０５０４）、「ユーザＩ／Ｆ」（０５０５）、「外部機器Ｉ／Ｆ」（０５０６）、「出力Ｉ／Ｆ」（０５０７）、「バス」（０５０８）などを備えている。
【００４２】
主記憶装置は、プログラム実行中に動的にデータを書き換え可能な記憶装置である。主記憶装置はプログラム記憶装置に記憶されているプログラムを実行するために必要なワーク領域を提供する。また主記憶装置は、パルス信号受信プログラムに従い受信したパルス信号や、ウェーブレット変換プログラムに従い演算した結果のウェーブレット変換データなどを保持したりする。
【００４３】
２次記憶装置はプログラム実行中に動的にデータを書き換え可能な記憶装置であり、信号処理装置の電源が切れても記憶しているデータは消去されない。
【００４４】
ユーザＩ／Ｆを介して利用者などが入力したパルス信号を受信する指示信号を受け取ると、ＣＰＵは、プログラム記憶装置に保存しているパルス信号受信プログラムを取り出し、主記憶措置のワーク領域に展開して、プログラムを実行する。
【００４５】
まず、パルス信号受信プログラムの受信命令に従い、外部機器Ｉ／Ｆを制御してパルス信号を受信し、主記憶装置のデータ領域に格納していく。この時、外部機器Ｉ／Ｆには、測定対象から測定したアナログ信号をリアルタイムでパルス信号に変換している変換器に接続されていてもよいし、または、測定対象から測定したアナログ信号をパルス信号に変換したデータを保存している記憶装置などに接続されていてもよい。
【００４６】
その後、ユーザＩ／Ｆを介して利用者などが入力したパルス信号を処理する指示信号を受け取ると、ＣＰＵは、プログラム記憶装置に保存しているウェーブレット変換プログラムを取り出し、主記憶措置のワーク領域に展開して、プログラムを実行する。
【００４７】
主記憶装置のデータ領域に格納している、受信したパルス信号を取り出すと、プログラムに従いウェーブレット変換する。そして、その結果をウェーブレット変換データとして主記憶装置のデータ領域に格納する。
<処理の流れ>
【００４８】
本実施形態の処理の流れの一例を図６のフローチャートに示す。まず、ステップS０６０１において、測定対象から測定したパルス信号を受信する（受信ステップ）。次にステップS０６０２において、受信した信号を奇関数を基底関数としてウェーブレット変換する（変換ステップ）。
【００４９】
<発明の効果>
本実施形態の信号処理方法および信号処理装置により、測定対象から測定したパルス信号の中から、特定の要因による信号成分を精度良く抽出することが可能となる。
【００５０】
<実施形態２>
【００５１】
<概要>
本実施形態の信号処理方法および信号処理装置は、測定対象から測定した電流や電圧あるいは電磁波などの電気信号のパルス信号に対して、奇関数を基底関数としてウェーブレット変換を行うことにより、特定の要因による信号成分を精度良く抽出することが可能になる。さらに、ウェーブレット変換された値を所定の閾値と比較して、所定の関係にある周波数成分を選択することにより、信号の解析をより容易に行うことが可能になる。
【００５２】
<構成>
図７は、本実施形態の信号処理装置の機能ブロックの一例を示す図である。この図に示すように、本実施形態の「信号処理装置」（０７００）は、「受信部」（０７０１）と、「変換部」（０７０２）と、「比較部」（０７０３）と、「選択部」（０７０４）を有する。以下、実施形態１との相違点である「比較部」と「選択部」について説明する。
【００５３】
「比較部」は、変換部にて変換された値を所定の閾値と比較するよう構成されている。変換部にて変換された値とは、ウェーブレット変換により、所定の周波数帯に分解されたデータのピーク値である。比較部では、前記ピーク値と所定の閾値を比較する。
【００５４】
具体的には、ピーク値の絶対値と所定の閾値の大小を比較する。ここで、所定の閾値は任意の値であり、例えばウェーブレット変換後のデータの数を約１割程度に絞り込むように定められる。
【００５５】
閾値を定める手段としては、例えば、ウェーブレット変換した後の全データのピーク値に基づいて演算式により算出してもよい。なお、比較部において、最も低い周波数帯のデータには注目するパルス信号は含まれていないと仮定して、最も低い周波数帯のデータの値は所定の閾値と比較しないように構成してもよい。
【００５６】
「選択部」は、比較部での比較結果が所定の関係にあるものを選択するよう構成されている。具体的には、比較結果が所定の閾値より大きいものを選択するように構成してもよい。又は、比較結果が所定の閾値以上のものを選択するように構成してもよい。
【００５７】
当該選択部での処理により、ウェーブレット変換後のデータの中から、所定の閾値以上のピーク値を有するデータのみを選択することができる。なお、選択部は、最も低い周波数帯のデータには注目するパルス信号は含まれていないとみなして、最も低い周波数帯のデータを選択しないように構成してもよい。
【００５８】
<本実施形態のハードウェア構成>
【００５９】
本実施形態の信号処理装置の具体的な構成は、図５で示した実施形態１の信号処理装置の具体的な構成と同様である。ただし、本実施形態の信号処理装置は、抽出プログラムを有することを特徴とする。以下、当該抽出プログラムに関する処理について説明する。
【００６０】
ＣＰＵは、プログラム記憶装置に保存している抽出プログラムを取り出し、主記憶措置のワーク領域に展開して、プログラムを実行する。
【００６１】
具体的には、比較サブルーチンを実行し、主記憶装置のデータ領域に格納しているウェーブレット変換データのピーク値と所定の閾値について大小比較の処理をする。そして、選択サブルーチンを実行し、前記大小比較の結果を示す比較結果に従って、所定の関係のウェーブレット変換データを選択し、選択データとして主記憶措置のワーク領域に格納する。
<処理の流れ>
【００６２】
本実施形態の処理の流れの一例を図８のフローチャートに示す。まず、ステップS０８０１において、測定対象から測定したパルス信号を受信する（受信ステップ）。次にステップS０８０２において、受信した信号を奇関数を基底関数としてウェーブレット変換する（変換ステップ）。次にステップS０８０３において、変換ステップにて変換された値を所定の閾値と比較する（比較ステップ）。次にステップS０８０４において、比較ステップでの比較結果が所定の関係にあるものを選択する（選択ステップ）。
【００６３】
<発明の効果>
本実施形態の信号処理方法および信号処理装置により、測定対象から測定した電気信号のパルス信号の中から、特定の要因による信号成分を精度良く、かつ容易に抽出することが可能となる。
【００６４】
<実施形態３>
【００６５】
<概要>
本実施形態の信号処理方法および信号処理装置は、測定対象から測定した電流や電圧あるいは電磁波などの電気信号のパルス信号に対して、奇関数を基底関数としてウェーブレット変換を行うことにより、信号を精度良く解析することが可能になる。さらに、ウェーブレット変換された値を所定の閾値と比較して、所定の関係にある周波数成分を選択し、選択結果を時間軸にマッピングすることにより、信号の解析をより容易に行うことが可能になる。
【００６６】
<構成>
図９は、本実施形態の信号処理装置の機能ブロックの一例を示す図である。この図に示すように、本実施形態の「信号処理装置」（０９００）は、「受信部」（０９０１）と、「変換部」（０９０２）と、「比較部」（０９０３）と、「選択部」（０９０４）と、「マッピング部」（０９０５）を有する。以下、実施形態１、２との相違点である「マッピング部」について説明する。
【００６７】
「マッピング部」は、選択部での選択結果を時間軸にマッピングするよう構成されている。ここで、選択部で選択されたそれぞれのデータがいずれのレベルの周波数帯に属するか識別可能なようにマッピングする構成が考えられる。例えば、周波数帯のレベルごとに色分けしてマッピングすることが考えられる。このようにマッピングすることで、強いピークを有するパルス信号の周波数帯と、その信号が発生した時間帯も容易に認識することができる。前記時間・周波数情報を得るためには、元データのそれぞれのサンプリング時間毎の値を基に連続ウェーブレット変換、あるいは離散ウェーブレット変換を用いて時間・周波数情報として演算することができる。
【００６８】
上記のマッピングデータを利用することにより、所定の閾値以上のピーク値を有する信号が、パルス信号の波形中のどこに表れているかを容易に判別することが可能になる。
【００６９】
<本実施形態のハードウェア構成>
【００７０】
本実施形態の信号処理装置の具体的な構成は、実施形態２の信号処理装置の具体的な構成と同様である。ただし、本実施形態の信号処理装置は、マッピングプログラムを有することを特徴とする。以下、当該マッピングプログラムに関する処理について説明する。
【００７１】
ＣＰＵは、プログラム記憶装置に保存しているマッピングプログラムを取り出し、主記憶措置のワーク領域に展開して、プログラムを実行する。
【００７２】
具体的には、マッピングサブルーチンを実行し、２次記憶装置よりグラフデータを取り出し、そこに前記選択データをマッピングする処理を行う。そして、マッピングしたデータを主記憶措置のワーク領域に格納する。その後、表示サブルーチンを実行し、出力Ｉ／Ｆを制御し、前記マッピングデータを出力する処理を行う。
【００７３】
<処理の流れ>
本実施形態の処理の流れの一例を図１０のフローチャートに示す。まず、ステップS１００１において、測定対象から測定したパルス信号を受信する（受信ステップ）。次にステップS１００２において、受信した信号を奇関数を基底関数としてウェーブレット変換する（変換ステップ）。次にステップS１００３において、変換ステップにて変換された値を所定の閾値と比較する（比較ステップ）。次にステップS１００４において、比較ステップでの比較結果が所定の関係にあるものを選択する（選択ステップ）。次にステップS１００５において、選択ステップでの選択結果を時間軸にマッピングする（マッピングステップ）。
なお、図１３に示すように、マッピングにおいては、比較ステップを省略しても良い。この場合、選択ステップは、変換ステップにて変換された値をすべて選択する。
【００７４】
<発明の効果>
本実施形態の信号処理方法および信号処理装置により、測定対象から測定した電気信号のパルス信号の中から、特定の要因による信号成分を精度良く、かつ容易に抽出することが可能となる。また、直感的かつ容易に異常信号の有無を認識できる。
【００７５】
<実施形態４>
【００７６】
<概要>
本実施形態の信号処理方法および信号処理装置は、測定対象から測定した電流や電圧あるいは電磁波などの電気信号のパルス信号に対して、奇関数を基底関数としてウェーブレット変換を行うことにより、信号を精度良く解析することが可能になる。さらに、既知の雑音波形をフィルタ関数として用いることにより信号成分から雑音を除去し、信号をさらに精度良く解析することが可能になる。
【００７７】
<構成>
図１１は、本実施形態の信号処理装置の機能ブロックの一例を示す図である。この図に示すように、本実施形態の「信号処理装置」（１１００）は、「受信部」（１１０１）と、「変換部」（１１０２）と、「雑音除去部」（１１０３）を有する。以下、実施形態１から３との相違点である「雑音除去部」について説明する。
【００７８】
「雑音除去部」は、既知の雑音波形をフィルタ関数として用いることにより信号成分から雑音を除去するよう構成されている。
【００７９】
例えば、部分放電の現地測定で問題となる半導体制御装置からのノイズについては、規則性や波形の形が既知であるので、相似相関検出用フィルタ関数として用いることにより、信号成分から半導体制御装置からのノイズを除去することが可能である。当該既知の雑音波形のデータは予め記憶装置に保持しておく構成が考えられるが、適宜入力機器や通信装置を介して取得可能な構成としておくことも可能である。
【００８０】
なお、本実施形態において、実施形態２、３で説明した比較部や選択部、マッピング部をさらに設ける構成も可能である。この場合、雑音除去部にて除去される信号成分については、比較の対象や選択の対象、マッピングの対象から外すことが考えられる。また、マッピングする際において、雑音成分であることが判別可能なようにすることも考えられる。例えば、色分けをしたり、線種を変えたりすることが考えられる。
【００８１】
<本実施形態のハードウェア構成>
【００８２】
本実施形態の信号処理装置の具体的な構成は、図５で示した実施形態１の信号処理装置の具体的な構成と同様である。ただし、本実施形態の信号処理装置は、雑音除去プログラムを有することを特徴とする。以下、当該雑音除去プログラムに関する処理について説明する。
【００８３】
ＣＰＵは、プログラム記憶装置に保存している雑音除去プログラムを取り出し、主記憶措置のワーク領域に展開して、プログラムを実行する。
【００８４】
具体的には、既知の雑音波形を示すデータを２次記憶装置より取り出し、当該雑音波形のデータをフィルタ関数として用いることにより信号成分から雑音を示す周波数帯データを除去する処理を行う。
【００８５】
<処理の流れ>
本実施形態の処理の流れの一例を図１２のフローチャートに示す。まず、ステップS１２０１において、測定対象から測定したパルス信号を受信する（受信ステップ）。次にステップS１２０２において、受信した信号を奇関数を基底関数としてウェーブレット変換する（変換ステップ）。次にステップS１２０３において、既知の雑音波形をフィルタ関数として用いることにより信号成分から雑音を除去する（雑音除去ステップ）。
【００８６】
<発明の効果>
本実施形態の信号処理方法および信号処理装置により、測定対象から測定した電気信号のパルス信号の中から、特定の要因による信号成分を精度良く、かつ容易に抽出することが可能となる。
【符号の説明】
【００８７】
０１０１…受信部、０１０２…変換部、０７０３…比較部、０７０４…選択部、０９０５…マッピング部、１１０３…雑音除去部
【図１】
0005699403.tif 000009
【図２】
0005699403.tif 000010
【図３】
0005699403.tif 000011
【図４】
0005699403.tif 000012
【図５】
0005699403.tif 000013
【図６】
0005699403.tif 000014
【図７】
0005699403.tif 000015
【図８】
0005699403.tif 000016
【図９】
0005699403.tif 000017
【図１０】
0005699403.tif 000018
【図１１】
0005699403.tif 000019
【図１２】
0005699403.tif 000020
【図１３】
0005699403.tif 000021